(57)【要約】      （修正有）【課題】顕微鏡を医者が使用する際には患者が座っている診察台に対し適切な位置に移動でき、使用しないときには邪魔とならない位置に移動できるようにした顕微鏡を吊り下げた移動ユニットを提供すること。【解決手段】天井材２と側方材３により門型の顕微鏡支持枠１が構成され、天井材２の任意箇所に顕微鏡５がアーム４を介してＸ−Ｙ−Ｚ方向に移動且つ回動可能に吊り下げられているとともに、側方材３の下面にキャスター６が配設されている。また、門型の顕微鏡支持枠１は間口１．８〜３．０ｍであり、高さ２．０〜２．６ｍである。【選択図】図２
2013121407.tif 000002
【特許請求の範囲】
【請求項１】
天井材と側方材により門型の顕微鏡支持枠が構成され、前記天井材の任意箇所に顕微鏡がアームを介してＸ−Ｙ−Ｚ方向に移動且つ回動可能に吊り下げられているとともに、前記側方材の下面にキャスターが配設されていることを特徴とする顕微鏡を吊り下げた移動ユニット。
【請求項２】
前記門型の顕微鏡支持枠は間口１．８〜３．０ｍであり、高さ２．０〜２．６ｍであることを特徴とする請求項１に記載の顕微鏡を吊り下げた移動ユニット。
【発明の詳細な説明】
【技術分野】
【０００１】
本発明は、歯科医院などの診察室での使用に適するように、顕微鏡の設置位置を変更可能とした顕微鏡を吊り下げた移動ユニットに関する。
【背景技術】
【０００２】
例えば、歯科医院において口腔内を詳細に観察しながら根管治療や歯槽膿漏の外科治療など精度の高い治療を行いたい場合や、耳鼻科などの医院において患部を拡大観察したい場合、患者が座っている診察台のところで顕微鏡を使用する場合がある。
【０００３】
そして従来、そのような使用に適するものとして、例えば特許文献１や特許文献２に示されるように、顕微鏡が移動式のスタンドにＸ−Ｙ−Ｚ方向に移動且つ回動可能なように多関節アームを介して取り付けられている床移動型ものがある。
【０００４】
また、特許文献３に示されるように医療用診察台に支持アームを介して顕微鏡が取り付けられたものもある。
【０００５】
また、その他の使用態様として、多関節アームの一端が診察室の天井又は壁面にネジやボルトなどで固定され、他端に顕微鏡が取り付けられ、顕微鏡をアームでＸ−Ｙ−Ｚ方向に移動且つ回動可能に吊り下げるようにして用いている例もある。
【０００６】
いずれの方法を採用するにおいても、顕微鏡を患者を観察するために最適な位置に移動でき、且つ観察するために所望位置で固定でき、さらに医者の診察や治療の邪魔とならないように配置できるようにする必要がある。
【先行技術文献】
【特許文献】
【０００７】
【特許文献１】特開２０１１−２５０２８号公報
【特許文献２】特開２０１１−３０７２６号公報
【特許文献３】特開２００３−５２７１８号公報
【発明の概要】
【発明が解決しようとする課題】
【０００８】
しかし、特許文献１や特許文献２に示される床移動型の場合、床の上に安定させるために大きなベースが必要であり、例えば歯科医院の狭い診察室では使用するときに最適な位置に収まらない場合が多い。なぜなら、患者が座っている医療用診察台に対して、医者が顕微鏡をセットしたい最適位置と、歯科衛生士の立ち位置とが重なることが多いためである。したがって、顕微鏡を患部に対して適切な位置にセットすることが困難な場合が多々あるという課題がある。
【０００９】
また、特許文献２に示される医療用診察台に直接取り付けるようにしたものは、使用しない場合も診察台の周囲に顕微鏡やそのアームがあるので、不使用時には治療の邪魔となる場合がある。また、顕微鏡の移動範囲が限られるので床移動型と同様に最適な位置で顕微鏡を使用できない場合がある。さらに、診察台一台ごとに備え付けることになるので、費用的な負担も大きくなる。
【００１０】
一方、天井や壁にアームをネジやボルトなどで直接固定して顕微鏡を吊り下げて使用するようにした場合は、使用時にのみアームを延ばして顕微鏡を患部に対して適切な位置に移動させることが可能であり、使用しない場合は邪魔にならない位置に移動しておくことができるのでこの点では好ましいものである。しかし、歯科医院が工事制限付きのテナントの場合、勝手に診察室内の天井や壁にアームをネジやボルトなどで固定できない場合がある。また、自宅開業の場合でも木造家屋の場合、アームと顕微鏡で一般的には４０ｋｇ前後の重量があるため、室内のアーム取付箇所がしっかりした構造でないと先端の顕微鏡が揺れてしまい使用に耐えないという課題がある。顕微鏡使用時にはアームの先端に取り付けられている顕微鏡が完全に三次元的に固定状態となる必要があるため、アーム及びアームの取付箇所には十分な強度が必要とされるのである。
【００１１】
本発明は、かかる事情に鑑みてなされたものであり、その目的とするところは、顕微鏡を天井や壁面に直接取り付けることなく顕微鏡を医者が使用する際には患者が座っている診察台に対し適切な位置に移動でき、使用しないときには邪魔とならない位置に移動できるようにした顕微鏡を吊り下げた移動ユニットを提供することである。
【課題を解決するための手段】
【００１２】
上記目的を達成するために、本発明による顕微鏡を吊り下げた移動ユニットは、天井材と側方材により門型の顕微鏡支持枠が構成され、前記天井材の任意箇所に顕微鏡がアームを介してＸ−Ｙ−Ｚ方向に移動且つ回動可能に吊り下げられているとともに、前記側方材の下面にキャスターが配設されていることを特徴とする。
【００１３】
また、本発明においては、前記門型の顕微鏡支持枠は間口１．８〜３．０ｍであり、高さ２．０〜２．６ｍであることが好ましい。
【発明の効果】
【００１４】
本発明によれば、キャスターにより移動且つ回動可能な門型の顕微鏡支持枠にアームを介して顕微鏡を吊り下げるようにしたので、例えば歯科医院で使用する場合、診察台を挟むようにして門型の顕微鏡支持枠を移動できるので、歯科衛生士の立ち位置と重なることなく顕微鏡を最適な位置に移動させて使用できる。
【００１５】
さらに、顕微鏡は顕微鏡支持枠の天井部からアームを介してＸ−Ｙ−Ｚ方向に移動且つ回動可能に吊り下げられているので、顕微鏡を天井や壁面に直接取り付けることなく顕微鏡を患部に対して適切な位置にセット可能である。一方、使用しないときには顕微鏡支持枠を移動させることにより顕微鏡を邪魔とならない位置に移動させておくことが可能となる。
【図面の簡単な説明】
【００１６】
【図１】本発明の顕微鏡を吊り下げた移動ユニットの一例を示す正面図である。
【図２】本発明の顕微鏡を吊り下げた移動ユニットの一例を示す斜視図である。
【発明を実施するための形態】
【００１７】
次に、本発明の顕微鏡を吊り下げた移動ユニットの実施の形態について説明する。
本発明による顕微鏡を吊り下げた移動ユニットは、天井材と側方材により門型の顕微鏡支持枠が構成されている。顕微鏡支持枠を基本的には門型に形成し、前後方向には何もない状態にする。これにより、顕微鏡支持枠を診察台に対し最適な位置にセットできる。また、側方材を薄く形成することにより、側方材が占める面積を小さくできる。
【００１８】
また、天井材の任意箇所に顕微鏡がアームを介してＸ−Ｙ−Ｚ方向に移動且つ回動可能に吊り下げられているとともに、側方材の下面にキャスターが配設されている。顕微鏡は顕微鏡支持枠の天井部にアームを介して取り付けてあるので、使用時には所望位置に簡単に引き降ろすことができる。また、顕微鏡を使用しない場合は顕微鏡支持枠の天井付近に持ち上げておくことができ、さらに顕微鏡支持枠を移動させることにより、診察台近傍から遠ざけておくこともできる。
【００１９】
なお、本発明においてキャスターは、使用環境に応じて任意の形式のものが適用可能であり、例えば３６０度回動可能のものでも、または固定式のものでも、あるいはレール走行用の車輪でもよい。キャスターをレール用の車輪とした場合、診察室の床面にレールを敷設することにより、顕微鏡支持枠の移動に要する力が小さくて済むとともに、正確な所望位置に簡単に移動させることができる。
【００２０】
また、本発明においては、好ましくは、前記門型の顕微鏡支持枠は間口１．８〜３．０ｍ、高さ２．０〜２．６ｍである。また、奥行きについては例えば０．９〜２．０ｍである。基本的には歯科や耳鼻科などの診察室で使用することを前提としているので、この程度の大きさがあれば、例えば歯科医院で使用する場合、歯科衛生士の立ち位置に邪魔されることなく且つ歯科衛生士の立ち位置を邪魔することなく診察台の両サイドに側方材を移動できるので、その結果顕微鏡支持枠を所望位置に移動でき顕微鏡を患者の真上から降ろして使用することができる。但し、上記各寸法は標準的なサイズであり、必ずしもこのサイズ内に収まらなければならないものではない。
【実施例】
【００２１】
次に、本発明の顕微鏡を吊り下げた移動ユニットの一実施例を図面に基づいて述べる。
本発明の顕微鏡を吊り下げた移動ユニットは、基本的には門型の顕微鏡支持枠１を構成する天井材２と側方材３及び天井材２にアーム４を介して吊り下げられる顕微鏡５並びに側方材の下面に取り付けられるキャスター６により構成されている。
【００２２】
天井材２と側方材３の材質は金属製、木製、合成樹脂製、あるいはこれらの組み合わせなど任意に選択可能であり、後述するアーム４と顕微鏡５を吊り下げるための十分な強度を有し、安定的に移動可能であればどのようなものでもよい。また、天井材２と側方材３はフレーム構造でも、面構造でも、あるいはこれらを組み合わせたもののいずれでもよい。いずれにしても、顕微鏡使用時にアームの先端に取り付けられている顕微鏡が完全に三次元的に固定状態が保持できる強度があればよい。なお、床面の専有面積を少なくするためには、側方材３の厚さは基本的には１０ｃｍ以下程度にしておくことが好ましいが、天井材２や側方材３の厚さは適宜選択可能である。
【００２３】
図２に示した例は、側方材３はフレーム材の一部を壁面材で隠した構成としたが、これに限定されるものではない。また、移動の便のためには顕微鏡支持枠１の前後方向には部材が無いことが好ましいが、使用環境によっては前面又は背面のどちらか一方には補強用や装飾用の部材があってもよい。また、顕微鏡支持枠１は構造的に天井材２と側方材３に分離可能でなくても、天井材２と側方材３として機能するものから構成されていればよいのであり、例えば全体がアーチ状になっているようなものであってもよい。さらに、天井材２と側方材３はどちらも必ずしも平面状に形成されていなくてもよい。また、顕微鏡支持枠１は必ずしも左右対称でなくてもよい。
【００２４】
天井材２の略中央部分にはアーム４の一端が取り付けられ、他端には顕微鏡５が取り付けられ、顕微鏡５はアーム４を介して天井材２に吊り下げられていることとなる。アーム４は公知のものが使用可能であり、基本的にはアーム４に吊り下げられた顕微鏡５がＸ−Ｙ−Ｚ方向に自由に移動且つ回動可能なように多関節構造のアームを用いる。但し、アーム４は多関節構造のものに限定されるものではなく、例えば伸縮式のアームであってもよい。いずれにしても、顕微鏡５がＸ−Ｙ−Ｚ方向に自由に移動且つ回動可能であればよいのである。また、アーム４に取り付けられている顕微鏡５も使用目的に合わして各種形式のものが任意に選択可能である。
【００２５】
なお、アーム４の天井材２への取付位置は適宜選択できる。また、場合によってはアーム４の一端を天井材２でなく側方材３に取り付けてもよい。また、アーム４は天井材２に対してその取付位置を左右方向や前後方向にスライド移動可能なように配設してもよい。あるいは、天井材２や側方材３にアーム４の取付箇所を予め複数箇所設けておき、アームの取付位置を簡単に変更できるようにしておいてもよい。
【００２６】
門型の顕微鏡支持枠１は例えば、間口１．８〜３．０ｍ、高さ２．０〜２．６ｍ、奥行き０．９〜２．０ｍ程度の大きさとする。この程度の間口があれば、例えば歯科医院の診察室で使用する場合、歯科衛生士の立ち位置に邪魔されることなく且つ歯科衛生士の立ち位置を邪魔することなく、側方材３で診察台を挟むようにして顕微鏡支持枠１をセットできる。またこの程度の高さがあれば、顕微鏡５を患者の真上から引き降ろして使用することができるとともに、不使用時には顕微鏡を邪魔にならない高さに引き上げておくことができる。奥行きについては顕微鏡を吊り下げた状態で顕微鏡支持枠が安定した状態で移動できればよく、使用環境や、顕微鏡支持枠の強度やアームや顕微鏡の重量により適宜選択可能である。
【００２７】
なお、これらの寸法は歯科や医科の一般的な診察室で使用する場合を想定したものであり、使用環境によってはこれより大きくても小さくてもよい。例えば、高さは室内の天井高さによっても規制されるのでそれに適合させる必要がある場合もある。また、間口についても例えば、２台の診察台を同時にまたげるような大きさとすることも可能である。また、天井材２や側方材３を左右・上下・前後方向に伸縮可能な構造とし、使用場所に合わして簡単に間口や高さや奥行きの長さを調整できるようにしてもよい。
【００２８】
側方材３の下面に取り付けられるキャスター６は、３６０度回動可能であっても、あるいはその向きが固定されているものであってもどちらでもよい。使用環境に合わして選択可能である。また、キャスター６はレール走行用の車輪、例えばＶ型溝車輪やコ型溝車輪やフランジ型溝車輪などであってもよい。診察室の床面にレールを敷設することにより顕微鏡支持枠１の移動を簡単に、且つ常時正確に行うことができる。また、所望位置で顕微鏡支持枠１を固定できるように、ストッパー付きのキャスターとしてもよい。あるいは、所望位置で固定するために別途床面への固定具を顕微鏡支持枠１に設けてもよい。さらにまた、顕微鏡支持枠を移動させる必要がない場合は、キャスターは無くてもよい。
【００２９】
また、顕微鏡支持枠１の天井材２や側方材３には、その他顕微鏡の使用に関連する照明やカメラなども備えておいてもよい。
【産業上の利用可能性】
【００３０】
本発明の顕微鏡を吊り下げた移動ユニットは、歯科医院における治療時や耳鼻科における診察時での使用に限らず、診察台を挟むようにして顕微鏡をセットして患者に対して顕微鏡観察を行いたいような場合には、その他の医療現場においても使用可能である。特に、工事制限付きのテナント開業の医院においても顕微鏡の導入が可能となり、他医院との差別化を図ることが可能となる。
【符号の説明】
【００３１】
１    顕微鏡支持枠
２    天井材
３    側方材
４    アーム
５    顕微鏡
６    キャスター
【図１】
2013121407.tif 000003
【図２】
2013121407.tif 000004